(57)【要約】      （修正有）【課題】２個の基板の間に形成された隔壁により区画された領域（セル）の中で泳動粒子のスムースな移動を実現する電気泳動表示装置を提供する。【解決手段】電気泳動表示装置は、第１の基板６１と第２の基板７１との間に隔壁３１、３２、３３を設け、隔壁３１、３２、３３で区画される領域に分散液を配置し、前記分散液は、分散媒４１と、泳動粒子４２、４３と、を含み、隔壁３１、３２、３３の前記領域の側の面は第１の基板６１の法線方向に対して傾斜している傾斜部を有し、かつ、隔壁３１、３２、３３の前記領域の側の面と第１の基板６１の側の面との交線が形成する複数の辺のすべてについてそれぞれに対応する部分の隔壁３１、３２、３３の前記領域の側の面が同一の傾斜方向および同一の傾斜角度の傾斜部を有する構成ではない。【選択図】図１
2016191814.tif 000002
【特許請求の範囲】
【請求項１】
第１の基板と第２の基板との間に隔壁を設け、前記隔壁で区画される領域に分散液を配置し、
前記分散液は、分散媒と、泳動粒子と、を含み、
前記隔壁の前記領域の側の面は前記第１の基板の法線方向に対して傾斜している傾斜部を有し、
かつ、前記隔壁の前記領域の側の面と前記第１の基板の側の面との交線が形成する複数の辺のすべてについてそれぞれに対応する部分の前記隔壁の前記領域の側の面が同一の傾斜方向および同一の傾斜角度の傾斜部を有する構成ではない、
電気泳動表示装置。
【請求項２】
前記隔壁の前記領域の側の面は、前記第１の基板の法線方向の軸に対する２個以上の異なる角度について回転をさせたときの対称性を持たない、
請求項１に記載の電気泳動表示装置。
【請求項３】
前記隔壁の前記領域の側の面と前記第１の基板の側の面との交線が形成する複数の辺のうちの１個のみに対応する部分の前記隔壁の前記領域の側の面が前記傾斜部を有する、
請求項１または請求項２に記載の電気泳動表示装置。
【請求項４】
前記隔壁の前記領域の側の面と前記第１の基板の側の面との交線が形成する複数の辺のうちで互いに平行な２個の辺に対応する部分の前記隔壁の前記領域の側の面は、その両方が前記傾斜部を有する構成であり、それぞれの辺を含む前記第１の基板の法線方向に平行な面に対する前記傾斜部の傾斜方向が逆で傾斜角度が同じである構成ではない、
請求項１から請求項３のいずれか１項に記載の電気泳動表示装置。
【請求項５】
前記複数の辺のうちで互いに平行な２個の辺に対応する部分の前記隔壁の前記領域の側の面は、その両方が前記傾斜部を有する構成であり、それぞれの辺を含む前記第１の基板の法線方向に平行な面に対する前記傾斜部の傾斜方向および傾斜角度が同じ構成である、
請求項４に記載の電気泳動表示装置。
【請求項６】
前記複数の辺は、多角形の辺を形成する、
請求項４または請求項５のいずれか１項に記載の電気泳動表示装置。
【請求項７】
前記複数の辺のうちで互いに平行な２個の辺に対応する部分の前記隔壁の前記領域の側の面は、平面である、
請求項４から請求項６のいずれか１項に記載の電気泳動表示装置。
【請求項８】
前記複数の辺のうちで互いに平行な２個の辺に対応する部分の前記隔壁の前記領域の側の面は、湾曲部を有する面である、
請求項４から請求項６のいずれか１項に記載の電気泳動表示装置。
【請求項９】
請求項１から請求項８のいずれか１項に記載の電気泳動表示装置を備える電子機器。
【発明の詳細な説明】
【技術分野】
【０００１】
本発明は、電気泳動表示装置および電子機器に関する。
【背景技術】
【０００２】
電気泳動を利用した表示装置（電気泳動表示装置）が知られている。電気泳動表示装置は、互いに対向する２個の基板（ここで、画素基板および対向基板という。）の間に電気泳動層を有し、当該電気泳動層に存在する分散媒（溶媒）の中で泳動する帯電した粒子（以下、泳動粒子という。）を電界によって移動させることで表示を行う。当該電界は、２個の基板の間に電位差が与えられることで、発生させられる。また、２個の基板のうちの一方の面（対向基板の面）が表示面となる。電気泳動表示装置は、電子ペーパーなどの電子機器に適用され得る。電気泳動表示装置は、ＥＰＤ（Ｅｌｅｃｔｒｏｐｈｏｒｅｔｉｃ  Ｄｉｓｐｌａｙ）とも呼ばれる。
【０００３】
２個の基板の間に隔壁を設けることで、電気泳動層が複数の領域（セル）に区画される。従来では、一例として、隔壁は表示面に対して法線方向に形成されている（特許文献１参照。）。他の例として、一方の基板の側と他方の基板の側とで異なる幅を有する隔壁が設けられる場合があり、この場合、隔壁は台形状の面を有する。
【０００４】
２個の基板の間に電位差を与えると、当該２個の基板の法線方向に電界が発生して、泳動粒子が分散媒の中を当該法線方向（電界方向）に泳動する。例えば、透明な対向基板の側に移動した泳動粒子の色が表示色となる。一例として、第１種の泳動粒子（例えば、白に対応する泳動粒子）と第２種の泳動粒子（例えば、黒に対応する泳動粒子）が分散媒に存在する場合、対向基板の側に存在した一方の種類の泳動粒子は画素基板の側に下降し、画素基板の側に存在した他方の種類の泳動粒子は画素基板の側に上昇する。
この場合、各泳動粒子が法線方向で衝突することになり、また、分散媒の影響もあり、各泳動粒子の移動方向が定まらない状況が生じ、光学応答が遅くなる要因となる場合があった。
【０００５】
図６は、基板に対して法線方向に隔壁が形成された電気泳動表示装置１００１の概略的な構成を示す断面図である。
電気泳動表示装置１００１では、画素基板部１０１１と対向基板部１０１２との間に隔壁１０１３、１０１４が形成されている。画素基板部１０１１は、概略を示しているが、画素基板および画素電極を含む。対向基板部１０１２は、概略を示しているが、対向基板および対向電極を含む。また、画素基板部１０１１と対向基板部１０１２との間に形成された隔壁１０１３、１０１４によって区画された領域（セル）には分散媒および泳動粒子が配置（例えば、封入）されている。
図６には、セルの中に、泳動粒子（例えば、第１種の泳動粒子）の流れの例を示してある。図６の例では、上（鉛直上方）側の基板（対向基板１０１２）から下（鉛直下方）側の基板（画素基板１０１１）への方向の流れ（下降流）の発生が定まらず、上昇流と混じり合って乱流となる。
【０００６】
ここで、電気泳動表示装置の表示面に表示色を呈するまでの応答時間が長い点について、より詳しく説明する。
本発明者の研究によると、ある程度多くの数の泳動粒子を電気泳動層に泳動させると、分散媒も引きずられて流動するようになる。すると、例えば、画素基板から対向基板に向かって分散媒が流動すると、対向基板の近傍の分散媒の分子が排除されることになる。
しかし、セルの構造および電界が対称となっていることから、例えば、対向基板の近傍の分散媒が互いに作用する力が拮抗し、このため、流動が進まない状況が発生する。そして、何らかのきっかけで均衡が破れると、初めて不定的な乱流が発生する。
【０００７】
泳動粒子の泳動速度は分散媒の粘性によって終速度に律速される。当該終速度は、泳動粒子の周辺の分散媒に対する相対速度である。例えば、分散媒が上に向かって流動している場合、泳動粒子の上方向での移動速度は終速度に分散媒の流動速度を加えた速度になる。
すなわち、例えば、上昇する泳動粒子が上昇する分散媒中にある場合は当該泳動粒子の移動速度が速くなり、分散媒が流動しない場合は当該泳動粒子の移動速度は終速度となり、上昇する泳動粒子が下降する分散媒中にある場合は当該泳動粒子の移動速度は遅くなる。なお、下降する泳動粒子についても、同様である。
このように、対称性の破れが発生するまでの間の状況、あるいは、乱流が発生して分散媒の上昇または下降が定まらない状況では、泳動粒子のスムースな移動が妨げられる。これが、光学応答が遅くなる要因となっている。
【先行技術文献】
【特許文献】
【０００８】
【特許文献１】特開２０１１−２３７７０６号公報
【発明の概要】
【発明が解決しようとする課題】
【０００９】
従来では、電気泳動表示装置において、２個の基板の間に形成された隔壁により区画された領域（セル）の中で泳動粒子のスムースな移動が実現されない場合があった。
【００１０】
本発明は、前記の点に鑑み為されたものであり、２個の基板の間に形成された隔壁により区画された領域（セル）の中で泳動粒子のスムースな移動を実現することができる電気泳動表示装置および電子機器を提供することを目的とする。
【課題を解決するための手段】
【００１１】
上記課題の少なくとも一つを解決するために本発明の一態様は、第１の基板と第２の基板との間に隔壁を設け、前記隔壁で区画される領域に分散液を配置し、前記分散液は、分散媒と、泳動粒子と、を含み、前記隔壁の前記領域の側の面は前記第１の基板の法線方向に対して傾斜している傾斜部を有し、かつ、前記隔壁の前記領域の側の面と前記第１の基板の側の面との交線が形成する複数の辺のすべてについてそれぞれに対応する部分の前記隔壁の前記領域の側の面が同一の傾斜方向および同一の傾斜角度の傾斜部を有する構成ではない、電気泳動表示装置である。
この構成により、電気泳動表示装置では、傾斜部が、領域（セル）の中で泳動粒子のスムースな移動を促す。これにより、電気泳動表示装置では、２個の基板の間に形成された隔壁により区画された領域（セル）の中で泳動粒子のスムースな移動を実現することができる。
【００１２】
本発明の一態様は、電気泳動表示装置において、前記隔壁の前記領域の側の面は、前記第１の基板の法線方向の軸に対する２個以上の異なる角度について回転をさせたときの対称性を持たない、構成が用いられてもよい。
この構成により、電気泳動表示装置では、前記した対称性が無いことで、傾斜部が、領域（セル）の中で泳動粒子のスムースな移動を促す。これにより、電気泳動表示装置では、２個の基板の間に形成された隔壁により区画された領域（セル）の中で泳動粒子のスムースな移動を実現することができる。
【００１３】
本発明の一態様は、電気泳動表示装置において、前記隔壁の前記領域の側の面と前記第１の基板の側の面との交線が形成する複数の辺のうちの１個のみに対応する部分の前記隔壁の前記領域の側の面が前記傾斜部を有する、構成が用いられてもよい。
この構成により、電気泳動表示装置では、傾斜部が、領域（セル）の中で泳動粒子のスムースな移動を促す。これにより、電気泳動表示装置では、２個の基板の間に形成された隔壁により区画された領域（セル）の中で泳動粒子のスムースな移動を実現することができる。
【００１４】
本発明の一態様は、電気泳動表示装置において、前記隔壁の前記領域の側の面と前記第１の基板の側の面との交線が形成する複数の辺のうちで互いに平行な２個の辺に対応する部分の前記隔壁の前記領域の側の面は、その両方が前記傾斜部を有する構成であり、それぞれの辺を含む前記第１の基板の法線方向に平行な面に対する前記傾斜部の傾斜方向が逆で傾斜角度が同じである構成ではない、構成が用いられてもよい。
この構成により、電気泳動表示装置では、前記した２個の辺に対応する部分の隔壁における互いに非対称な傾斜部が、領域（セル）の中で泳動粒子のスムースな移動を促す。これにより、電気泳動表示装置では、２個の基板の間に形成された隔壁により区画された領域（セル）の中で泳動粒子のスムースな移動を実現することができる。
【００１５】
本発明の一態様は、電気泳動表示装置において、前記複数の辺のうちで互いに平行な２個の辺に対応する部分の前記隔壁の前記領域の側の面は、その両方が前記傾斜部を有する構成であり、それぞれの辺を含む前記第１の基板の法線方向に平行な面に対する前記傾斜部の傾斜方向および傾斜角度が同じ構成である、構成が用いられてもよい。
この構成により、電気泳動表示装置では、前記した２個の辺に対応する部分の隔壁における互いに非対称な傾斜部が、領域（セル）の中で泳動粒子のスムースな移動を促す。これにより、電気泳動表示装置では、２個の基板の間に形成された隔壁により区画された領域（セル）の中で泳動粒子のスムースな移動を実現することができる。
【００１６】
本発明の一態様は、電気泳動表示装置において、前記複数の辺は、多角形の辺を形成する、構成が用いられてもよい。
この構成により、電気泳動表示装置では、領域（セル）は多角形の面を有する。これにより、電気泳動表示装置では、多角形の面を有する領域（セル）を形成する場合に、当該領域（セル）の中で泳動粒子のスムースな移動を実現することができる。
【００１７】
本発明の一態様は、電気泳動表示装置において、前記複数の辺のうちで互いに平行な２個の辺に対応する部分の前記隔壁の前記領域の側の面は、平面である、構成が用いられてもよい。
この構成により、電気泳動表示装置では、前記した２個の辺に対応する部分の隔壁の内面（領域（セル）の側の面）は、平面である。これにより、電気泳動表示装置では、作成が容易な構成によって、２個の基板の間に形成された隔壁により区画された領域（セル）の中で泳動粒子のスムースな移動を実現することができる。
【００１８】
本発明の一態様は、電気泳動表示装置において、前記複数の辺のうちで互いに平行な２個の辺に対応する部分の前記隔壁の前記領域の側の面は、湾曲部を有する面である、構成が用いられてもよい。
この構成により、電気泳動表示装置では、前記した２個の辺に対応する部分の隔壁の内面（領域（セル）の側の面）は、湾曲部を有する面である。これにより、電気泳動表示装置では、作成が容易な構成によって、２個の基板の間に形成された隔壁により区画された領域（セル）の中で泳動粒子のスムースな移動を実現することができる。
【００１９】
上記課題の少なくとも一つを解決するために本発明の一態様は、以上のような電気泳動表示装置を備える電子機器である。
この構成により、電子機器では、電気泳動表示装置において、傾斜部が、領域（セル）の中で泳動粒子のスムースな移動を促す。これにより、電子機器では、電気泳動表示装置において、２個の基板の間に形成された隔壁により区画された領域（セル）の中で泳動粒子のスムースな移動を実現することができる。
【００２０】
以上のように、本発明に係る電気泳動表示装置および電子機器によれば、電気泳動表示装置において、傾斜部が、領域（セル）の中で泳動粒子のスムースな移動を促す。これにより、本発明に係る電気泳動表示装置および電子機器では、電気泳動表示装置において、２個の基板の間に形成された隔壁により区画された領域（セル）の中で泳動粒子のスムースな移動を実現することができる。
【図面の簡単な説明】
【００２１】
【図１】（Ａ）は本発明の一実施形態（第１実施形態）に係る電気泳動表示装置の構成例を示す断面図であり、（Ｂ）は領域（セル）の構成例を示す図である。
【図２】本発明の一実施形態（第１実施形態）に係る電気泳動表示装置の概略的な構成例を示す断面図である。
【図３】本発明の一実施形態（第２実施形態）に係る電気泳動表示装置の概略的な構成例を示す断面図である。
【図４】本発明の一実施形態（第３実施形態）に係る電気泳動表示装置の概略的な構成例を示す断面図である。
【図５】（Ａ）〜（Ｃ）は本発明の実施形態（第４実施形態）に係る電子機器の概略的な構成例を示す図である。
【図６】基板に対して法線方向に隔壁が形成された電気泳動表示装置の概略的な構成を示す断面図である。
【発明を実施するための形態】
【００２２】
本発明の実施形態について図面を参照して詳細に説明する。
なお、使用する図面は、説明する部分が容易に認識可能な状態となるように、適宜拡大または縮小して表示している。
【００２３】
（第１実施形態）
図１（Ａ）は、本発明の一実施形態（第１実施形態）に係る電気泳動表示装置１１の構成例を示す断面図である。
電気泳動表示装置１１は、画素基板部２１と、対向基板部２２と、隔壁３１、３２、３３と、分散媒４１と、複数の第１種の粒子（泳動粒子４２）と、複数の第２種の粒子（泳動粒子４３）を備える。本実施形態では、第１種の泳動粒子４２は負に帯電した白に対応する泳動粒子であり、第２種の泳動粒子４３は正に帯電した黒に対応する泳動粒子である。また、本実施形態では、これら２種類の泳動粒子４２、４３は、互いに正負が逆の電荷に帯電している。なお、第１種の粒子と第２種の粒子の色は本例に限定されない。
画素基板部２１は、画素基板６１と、複数の画素電極６２と、絶縁層６３を備える。
対向基板部２２は、対向基板７１と、対向電極７２を備える。
【００２４】
画素基板６１と対向基板７１は、互いに対向して配置されている。画素基板６１と対向基板７１は、互いに平行に配置されている。本実施形態では、画素基板６１および対向基板７１は、それぞれ、板状の形状を有する。
画素基板６１には、対向基板７１と対向する側に、複数の画素のそれぞれごとに画素電極６２が形成されており、さらに、絶縁層６３が形成されている。
対向基板７１には、画素基板６１と対向する側に、対向電極７２が形成されている。本実施形態では、対向電極７２は、複数の画素電極６２に対して共通である。他の構成例として、複数の画素電極６２のそれぞれごとに分割された対向電極７２が備えられてもよい。
画素基板部２１と対向基板部２２との間に挟まれた空間は、画素基板部２１と対向基板部２２との間に設けられた複数の隔壁３１〜３３により複数の領域（セル）に区画されている。各セルには、分散媒４１と、複数の第１種の泳動粒子４２と、複数の第２種の泳動粒子４３が配置（例えば、封入）されている。これらの分散媒４１および泳動粒子４２、４３から分散液が構成されている。このような各セルの層は、電気泳動層となる。
【００２５】
図１（Ｂ）は、領域（セル）の構成例を示す図である。
本実施形態では、例えば、隔壁３１と、隔壁３２と、隔壁８１と、隔壁８２と、画素基板部２１と、対向基板部２２により区画される内部の空間部分が１個のセルとなる。そして、画素基板部２１の面において、同一の形状を有する複数のセルが、互いに直交する２つの方向（水平方向および垂直方向）のそれぞれに並べられて設けられている。本実施形態では、１個のセルは、画素基板部２１の面において方形（例えば、正方形または長方形）の形状を有し、対向基板部２２の面において方形（例えば、正方形または長方形）の形状を有する。
また、本実施形態では、各隔壁３１〜３３、８１〜８２は、板状の形状を有する。また、各隔壁３１〜３３の内面（セルの内部に向かう面）は、当該内面と画素基板部２１との交線を含み画素基板部２１の法線方向と平行な面に対して、同じ傾斜方向に同じ傾斜角度で傾斜している。また、各隔壁８１〜８２の内面（セルの内部に向かう面）は、画素基板部２１の法線方向と平行な面である。
なお、本実施形態では、画素基板６１の面、画素基板部２１の面（本実施形態では、絶縁層６３の面）、対向基板７１の面、および対向基板部２２の面（本実施形態では、対向電極７２の面）は、互いに平行である。
【００２６】
本実施形態では、電気泳動表示装置１１は、対向基板７１の側（画素基板６１とは反対の側）に画像を表示する。対向基板７１の側の面が表示面となる。
【００２７】
電気泳動表示装置１１では、駆動部（図示せず）により各画素電極６２に電圧を印加するとともに、対向電極７２に電圧を印加することで、画素電極６２ごとに、当該画素電極６２と対向電極７２との間の電位差を制御する。そして、当該電位差により、画素基板６１の法線方向に電界が発生する。
対向電極７２の方が画素電極６２よりも電位が高い場合、例えば、第１種の泳動粒子（負帯電の白粒子）４２が対向電極７２の側に移動し、第２種の泳動粒子（正帯電の黒粒子）４３が画素電極６２の側に移動する。よって、白が表示される。
一方、対向電極７２の方が画素電極６２よりも電位が低い場合、例えば、第１種の泳動粒子（負帯電の白粒子）４２が画素電極６２の側に移動し、第２種の泳動粒子（正帯電の黒粒子）４３が対向電極７２の側に移動する。よって、黒が表示される。
【００２８】
図２は、本発明の一実施形態（第１実施形態）に係る電気泳動表示装置１１の概略的な構成例を示す断面図である。
ここで、図２は、図１（Ａ）と同じ電気泳動表示装置１１の断面図を概略化したものである。なお、図２では、横方向を拡大して、分散液の流れのイメージを見易くしてある。
図１（Ａ）および図２には、隔壁３１、隔壁３２および他の隔壁８１、８２により区画されたセルについて、互いに対向する当該隔壁３１と当該隔壁３２を側面方向から見た断面図を示してある。また、分散液の流れのイメージを矢印で示してある。
【００２９】
図１（Ａ）および図２の断面図において、隔壁３１および隔壁３２は、画素基板部２１の面の法線方向（画素基板６１の面の法線方向）に対して同じ傾斜方向に同じ傾斜角度だけ傾斜されて形成されている。
【００３０】
このような隔壁３１、３２の構成では、図２の断面図を例とすると、電気泳動層では、分散媒４１、第１種の泳動粒子４２、第２種の泳動粒子４３について、一方向の回転の流れが直ちに発生して整流となる。当該一方向の回転の流れは、図２の例では、隔壁３１の側では下から上への上昇流であり、対向電極７２の面の側では左から右への流れであり、隔壁３２の側では上から下への下降流である。
【００３１】
具体的には、泳動粒子（ここでは、泳動粒子４２または泳動粒子４３）が上方に泳動すると、分散媒４１も上方に流動するが、隔壁３１、３２が傾斜しているため、分散媒４１が横方向の速度を持つことになる。このため、図２に示されるように電気泳動表示装置１１を断面視した場合、画素電極６２と対向電極７２との間に電界を印加すると、力の拮抗が生じること無しに、分散媒４１が直ちにスムースに回転するように流動する。したがって、上昇する分散媒４１の中で上昇する泳動粒子（言い換えると、分散媒４１を上昇させる泳動粒子）が速やかに上昇することになり、応答速度が向上する。
ここで、隔壁３１、３２の傾斜角度は、任意であってもよいが、大き過ぎると画素基板部２１の法線方向における分散媒４１および泳動粒子４２、４３の速度が遅くなるため、大き過ぎない方が好ましい場合がある。
なお、異なる極性（電荷の極性）を持つ２種類以上の泳動粒子４２、４３が存在する場合においても、それぞれの種類の泳動粒子４２、４３が、それぞれの移動度、濃度等によって分散媒４１の流動を決定するため、同様な効果が得られる。
【００３２】
以上のように、本実施形態では、一対の基板（画素基板６１および対向基板７１）の間に隔壁３１〜３３、８１〜８２を設け、当該隔壁３１〜３３、８１〜８２で区画される領域（セル）に分散液を配置した電気泳動表示装置１１において、当該分散液は分散媒４１と泳動粒子４２、４３を含み、当該隔壁３１〜３３が当該基板の法線方向に対して同じ傾斜方向に傾斜している。また、本実施形態では、当該隔壁３１〜３３が同じ傾斜角度で傾斜している。
【００３３】
本実施形態に係る電気泳動表示装置１１では、隔壁３１〜３３の傾斜により、泳動粒子４２、４３を上下方向に移動させる際に、上下方向に泳動する当該泳動粒子４２、４３あるいは分散媒４１に横方向の速度を持たせて、当該泳動粒子４２、４３あるいは分散媒４１を横方向に移動させることが可能となる。これにより、隔壁３１〜３３、８１〜８２の内部のセルに配置された分散液の流れの方向（分散媒４１の流動方向）を、画像書き換え時（例えば、画素ごとに画素電極６２に印加される電圧が変化するとき）に、一方向に回転移動する流れ（整流）の方向にさせることができる。したがって、例えば従来と比べて、光学応答の速度を向上させることが可能であり、表示される画像の切り替えを高速化することが可能である。
このように、本実施形態に係る電気泳動表示装置１１では、２個の基板の間に形成された隔壁３１〜３３、８１〜８２により区画された領域（セル）の中で泳動粒子４２、４３のスムースな移動を実現することができる。
【００３４】
なお、一例として、感応性樹脂を基板部（本実施形態では、例えば、画素基板６１に設けられた絶縁層６３）に塗布して、マスクを載せ、斜め方向の光で露光することで、隔壁３１〜３３を形成することが可能である。この形成の手法は、実施が容易である。ここで、斜め方向の露光の方位角は、任意であってもよく、例えば、所定の隔壁３１〜３３の辺に沿った方向であってもよく、または、対角線に沿った方向であってもよい。
【００３５】
また、本実施形態のように、１個のセルに１個の画素の構成要素（例えば、画素電極６２）が設けられる構成では、高速な応答が可能であり、また、画素間の滲みを防止することが可能である。但し、他の構成例として、１個のセルに２個以上の画素の構成要素が設けられてもよい。
【００３６】
ここで、領域（セル）の形状は、様々な形状であってもよい。例えば、画素基板６１の法線方向を視線方向として見た１個のセルの形状は、正方形、長方形、三角形、五角以上の多角形などであってもよい。また、１個のセルを区画する隔壁の数は、様々な数であってもよい。
また、本実施形態では、電気泳動層は、分散媒４１と、２種類の泳動粒子４２、４３を含む構成を示した。他の構成例として、泳動粒子の種類の数は、１種類であってもよく、または、３種類以上であってもよい。また、各泳動粒子の色は任意であってもよい。
また、本実施形態では、画素基板部２１に絶縁層６３が設けられているが、他の構成例として、絶縁層６３が設けられなくてもよく、また、絶縁層６３の代わりに他の材質の層が設けられてもよい。
【００３７】
（第２実施形態）
図３は、本発明の一実施形態（第２実施形態）に係る電気泳動表示装置１０１の概略的な構成例を示す断面図である。
電気泳動表示装置１０１は、画素基板部１１１と、対向基板部１１２と、隔壁１１３〜１１４を備える。
ここで、図２と同様に、図３は、電気泳動表示装置１０１の断面図を概略化したものである。
本実施形態に係る電気泳動表示装置１０１は、図１（Ａ）、（Ｂ）および図２に示される電気泳動表示装置１１と比べて、隔壁１１３〜１１４の構成が異なっており、他の部分の構成は同じである。
図３には、隔壁１１３、隔壁１１４および他の隔壁（図示せず）により区画されたセルについて、互いに対向する当該隔壁１１３と当該隔壁１１４を側面方向から見た断面図を示してある。また、分散液の流れのイメージを矢印で示してある。
【００３８】
図３に示されるように、本実施形態では、互いに対向する２個の隔壁１１３、１１４のうちの一方のみ（図３の例では、隔壁１１４のみ）の内面（セルの内部に向かう面）に、画素基板部１１１の法線方向（画素基板の法線方向）に対する傾斜を持たせている。他方（図３の例では、隔壁１１３）の内面は、当該法線方向に平行である。
【００３９】
以上のように、本実施形態に係る電気泳動表示装置１０１では、２個の基板の間に形成された隔壁１１３〜１１４により区画された領域（セル）の中で泳動粒子のスムースな移動を実現することができる。
なお、本実施形態では、金型による押し型インプリントが用いられてもよい。例えば、金型で転写することにより、流動に最適な傾斜した隔壁形状を容易に作成することが可能である。
【００４０】
（第３実施形態）
図４は、本発明の一実施形態（第３実施形態）に係る電気泳動表示装置１５１の概略的な構成例を示す断面図である。
電気泳動表示装置１５１は、画素基板部１６１と、対向基板部１６２と、隔壁１６３〜１６４を備える。
ここで、図２と同様に、図４は、電気泳動表示装置１５１の断面図を概略化したものである。
本実施形態に係る電気泳動表示装置１５１は、図１（Ａ）、（Ｂ）および図２に示される電気泳動表示装置１１と比べて、隔壁１６３〜１６４の構成が異なっており、他の部分の構成は同じである。
図４には、隔壁１６３、隔壁１６４および他の隔壁（図示せず）により区画されたセルについて、互いに対向する当該隔壁１６３と当該隔壁１６４を側面方向から見た断面図を示してある。また、分散液の流れのイメージを矢印で示してある。
【００４１】
図４に示されるように、本実施形態では、互いに対向する２個の隔壁１６３、１６４のうちの一方のみ（図４の例では、隔壁１６４のみ）の内面（セルの内部に向かう面）に、画素基板部１６１の法線方向（画素基板の法線方向）に対する傾斜を持たせている。本実施形態では、当該傾斜は画素基板部１６１の側に設けられており、対向基板部１６２の側では当該内面は当該法線方向に平行である。本実施形態では、隔壁１６４の内面において画素基板部１６１の側（図４の例では、底部）に湾曲した形状を形成することで、分散液を流動し易くすることが可能である。湾曲した形状は、例えば、円弧の形状である。このように、特に、隔壁（隔壁１６３あるいは隔壁１６４）と基板部（画素基板部１６１あるいは対向基板部１６２）との境界部のへりは、直角よりも曲線（湾曲）の形状の方が好ましい場合がある。
【００４２】
以上のように、本実施形態に係る電気泳動表示装置１５１では、２個の基板の間に形成された隔壁１６３〜１６４により区画された領域（セル）の中で泳動粒子のスムースな移動を実現することができる。
なお、本実施形態では、金型による押し型インプリントが用いられてもよい。例えば、金型で転写することにより、流動に最適な傾斜した隔壁形状を容易に作成することが可能である。
【００４３】
（第４実施形態）
図５（Ａ）〜図５（Ｃ）は、本発明の実施形態に係る電子機器の概略的な構成例を示す図である。本実施形態では、以上の実施形態に係る電気泳動表示装置（第１実施形態〜第３実施形態に係る電気泳動表示装置１１、１０１、１５１のうちのいずれか）を適用した電子機器の具体例を示す。
【００４４】
図５（Ａ）は、電子機器の一例である電子ブック５０１を示す斜視図である。
電子ブック５０１は、ブック形状のフレーム５１１と、以上の実施形態に係る電気泳動表示装置が適用された表示部５１２と、操作部５１３を備える。
図５（Ｂ）は、電子機器の一例である腕時計５５１を示す斜視図である。
腕時計５５１は、以上の実施形態に係る電気泳動表示装置が適用された表示部５６１を備える。
図５（Ｃ）は、電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置が適用された表示部５８２を備える。
なお、以上の実施形態に係る電気泳動表示装置は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００４５】
以上のように、本実施形態に係る電子機器では、以上の実施形態に係る電気泳動表示装置と同様な効果を得ることができる。
【００４６】
（電気泳動表示装置の隔壁の様々な構成例）
電気泳動表示装置の隔壁の構成は、以上の実施形態で例示されたものであってもよく、また、他の構成であってもよい。
例えば、１個の領域（セル）を区画する複数の隔壁の内面（セルの内部に向かう面）は、当該セルの内部において、第１の基板の側の面、第１の隔壁の内面、第２の基板の側の面、第２の隔壁の内面に沿って、一方向の分散液の流れを発生させる形状を備える。
【００４７】
一構成例に係る電気泳動表示装置では、第１の基板と第２の基板との間に隔壁を設け、隔壁で区画される領域（セル）に分散液を配置する。分散液は、分散媒と、泳動粒子と、を含む。隔壁の領域（セル）の側の面（隔壁の内面）は、第１の基板の法線方向に対して傾斜している傾斜部を有する。但し、所定の構成を除く。
当該所定の構成は、隔壁の領域（セル）の側の面（隔壁の内面）と第１の基板の側の面（第１の基板部の面）との交線が形成する複数の辺のすべてについて、それぞれに対応する部分の隔壁の領域（セル）の側の面が同一の傾斜方向および傾斜角度の傾斜部を有する構成である。つまり、セルを区画するすべての隔壁が同一の傾斜方向および同一の傾斜角度の傾斜部を有する場合には、傾斜があっても、セルの内部から見て各辺の傾斜が均等となり相違がなくなるため、当該所定の構成を除いている。
本構成例に係る電気泳動表示装置では、傾斜部によって、非対称な分散液の流れを発生させることが可能である。
ここで、一例として、第１の基板が画素基板であり、第１の基板部が画素基板部であり、第２の基板が対向基板である。他の例として、第１の基板が対向基板であり、第１の基板部が対向基板部であり、第２の基板が画素基板である。
【００４８】
一構成例に係る電気泳動表示装置では、第１の基板と第２の基板との間に隔壁を設け、隔壁で区画される領域（セル）に分散液を配置する。分散液は、分散媒と、泳動粒子と、を含む。隔壁の領域（セル）の側の面（隔壁の内面）は、第１の基板の法線方向に対して傾斜している傾斜部を有する。そして、隔壁の領域（セル）の側の面（隔壁の内面）は、第１の基板の法線方向の軸に対する２個以上の異なる角度について回転をさせたときの対称性を持たない。つまり、例えば、第１の基板に平行なセルの面（例えば、方形など）の中心に第１の基板の法線方向の軸を取った場合に、当該軸の周りに第１の角度（例えば、９０度あるいは４５度など）だけ回転させたときにセルが同じ形状になり（対称性を持ち）、かつ、当該軸の周りに第２の角度（例えば、１８０度あるいは９０度など）だけ回転させたときにセルが同じ形状になる（対称性を持つ）ものを除いている。
本構成例に係る電気泳動表示装置では、傾斜部によって、非対称な分散液の流れを発生させることが可能である。
ここで、一例として、第１の基板が画素基板であり、第１の基板部が画素基板部であり、第２の基板が対向基板である。他の例として、第１の基板が対向基板であり、第１の基板部が対向基板部であり、第２の基板が画素基板である。
【００４９】
一構成例に係る電気泳動表示装置では、第１の基板と第２の基板との間に隔壁を設け、隔壁で区画される領域（セル）に分散液を配置する。分散液は、分散媒と、泳動粒子と、を含む。隔壁の領域（セル）の側の面（隔壁の内面）は、第１の基板の法線方向に対して傾斜している傾斜部を有する。そして、隔壁の領域（セル）の側の面（隔壁の内面）と第１の基板の側の面（第１の基板部の面）との交線が形成する複数の辺のうちの１個のみに対応する部分の隔壁の領域（セル）の側の面（隔壁の内面）が傾斜部を有する。つまり、例えば、複数の隔壁によりセルが区画される場合に、１個の隔壁のみに傾斜部を有する。
本構成例に係る電気泳動表示装置では、傾斜部によって、非対称な分散液の流れを発生させることが可能である。
ここで、一例として、第１の基板が画素基板であり、第１の基板部が画素基板部であり、第２の基板が対向基板である。他の例として、第１の基板が対向基板であり、第１の基板部が対向基板部であり、第２の基板が画素基板である。
【００５０】
一構成例に係る電気泳動表示装置では、第１の基板と第２の基板との間に隔壁を設け、隔壁で区画される領域（セル）に分散液を配置する。分散液は、分散媒と、泳動粒子と、を含む。隔壁の領域（セル）の側の面（隔壁の内面）は、第１の基板の法線方向に対して傾斜している傾斜部を有する。但し、隔壁の領域（セル）の側の面（隔壁の内面）と第１の基板の側の面（第１の基板部の面）との交線が形成する複数の辺のうちで互いに平行な２個の辺に対応する部分の隔壁の領域（セル）の側の面（隔壁の内面）は、その両方が傾斜部を有する構成であり、それぞれの辺を含む第１の基板の法線方向に平行な面に対する傾斜部の傾斜方向が逆で傾斜角度が同じである構成、ではない。つまり、例えば、互いに対向する２個の隔壁が互いに逆の傾斜方向で同じ傾斜角度の傾斜部を有する場合を除いている。
本構成例に係る電気泳動表示装置では、傾斜部によって、非対称な分散液の流れを発生させることが可能である。
ここで、一例として、第１の基板が画素基板であり、第１の基板部が画素基板部であり、第２の基板が対向基板である。他の例として、第１の基板が対向基板であり、第１の基板部が対向基板部であり、第２の基板が画素基板である。
【００５１】
一構成例に係る電気泳動表示装置では、第１の基板と第２の基板との間に隔壁を設け、隔壁で区画される領域（セル）に分散液を配置する。分散液は、分散媒と、泳動粒子と、を含む。隔壁の領域（セル）の側の面（隔壁の内面）は、第１の基板の法線方向に対して傾斜している傾斜部を有する。そして、隔壁の領域（セル）の側の面（隔壁の内面）と第１の基板の側の面（第１の基板部の面）との交線が形成する複数の辺のうちで互いに平行な２個の辺に対応する部分の隔壁の領域（セル）の側の面は、その両方が傾斜部を有する構成であり、それぞれの辺を含む第１の基板の法線方向に平行な面に対する傾斜部の傾斜方向および傾斜角度が同じ構成である。つまり、例えば、図１（Ａ）、（Ｂ）および図２に示される場合の構成である。
本構成例に係る電気泳動表示装置では、傾斜部によって、非対称な分散液の流れを発生させることが可能である。
ここで、一例として、第１の基板が画素基板であり、第１の基板部が画素基板部であり、第２の基板が対向基板である。他の例として、第１の基板が対向基板であり、第１の基板部が対向基板部であり、第２の基板が画素基板である。
【００５２】
一構成例として、前記した複数の辺は、多角形の辺を形成する。つまり、例えば、図１（Ａ）、（Ｂ）および図２、あるいは、図３または図４に示される場合の構成である。
一構成例として、前記した複数の辺のうちで互いに平行な２個の辺に対応する部分の隔壁の領域（セル）の側の面（隔壁の面）は、平面である。つまり、例えば、図１（Ａ）、（Ｂ）および図２、あるいは、図３に示される場合の構成である。
他の一構成例として、前記した複数の辺のうちで互いに平行な２個の辺に対応する部分の隔壁の領域（セル）の側の面（隔壁の面）は、湾曲部（傾斜部の一例）を有する面である。つまり、例えば、図４に示される場合の構成である。
【００５３】
なお、以上では、特に、１個の領域（セル）を区画する複数の隔壁のうちで、図２〜図４に例示されるように、互いに対向する２個の隔壁の形状（第１の基板に対する３次元的な配置を含む形状）の関係を特徴的な構成とした場合の具体例を示した。他の構成例として、互いに対向しない２個の隔壁の形状の関係を特徴的な構成としてもよい。当該２個の隔壁は、例えば、隣り合う２個の隔壁であってもよく、または、隣り合わない２個の隔壁であってもよい。
図２〜図４に例示された各構成は、例えば、隔壁の構造を作成し易い例である。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１１、１０１、１５１、１００１…電気泳動表示装置、２１、１１１、１６１、１０１１…画素基板部、２２、１１２、１６２、１０１２…対向基板部、３１〜３３、８１〜８２、１１３〜１１４、１６３〜１６４、１０１３〜１０１４…隔壁、４１…分散媒、４２〜４３…泳動粒子、６１…画素基板、６２…画素電極、６３…絶縁層、７１…対向基板、７２…対向電極、５０１…電子ブック、５１１…フレーム、５１２、５６１、５８２…表示部、５１３…操作部、５５１…腕時計、５７１…電子ペーパー、５８１…本体部
【図１】
2016191814.tif 000003
【図２】
2016191814.tif 000004
【図３】
2016191814.tif 000005
【図４】
2016191814.tif 000006
【図５】
2016191814.tif 000007
【図６】
2016191814.tif 000008